(57)【要約】      （修正有）【課題】観賞魚や観賞用水生植物などの生物を容易にかつ安価に見て楽しむことができるようにするために、生物が映っている高解像度の映像データを表示する電子水槽装置を提供する。【解決手段】電子水槽装置であって、生物の高解像度の映像データを記憶する映像記憶部３と、前記映像記憶部３に記憶されている映像データを再生する映像再生部４と、前記映像再生部４によって再生された高解像度の映像データを表示する高解像度ディスプレイである映像表示部５と、前記映像記憶部３、映像再生部４、及び映像表示部５を収納する少なくとも正面が透明な筐体部とを備えている。【選択図】図１
0003194567.tif 000002
【実用新案登録請求の範囲】
【請求項１】
生物の高解像度の映像データを記憶する映像記憶部と、
前記映像記憶部に記憶されている映像データを再生する映像再生部と、
前記映像再生部によって再生された高解像度の映像データを表示する高解像度ディスプレイである映像表示部と、
前記映像記憶部、映像再生部、及び映像表示部を収納する少なくとも正面が透明な筐体部
とを備えていることを特徴とする電子水槽装置。
【請求項２】
前記筐体部の内部に前記映像再生部及び前記映像表示部を冷却するための冷却ファン部をさらに備え、
前記筐体部の上面又は／及び背面には通風孔が設けられていることを特徴とする請求項１に記載の電子水槽装置。
【請求項３】
前記映像記憶部における記憶媒体はＵＳＢメモリ、ディスク、ハードディスク、光磁気ディスク、光ディスク、ＣＤ−ＲＯＭ、ＣＤ−Ｒ、ＤＶＤ−ＲＯＭ、ＤＶＤ−Ｒ、磁気テープ、または不揮発性のメモリカードであることを特徴とする請求項１または２に記載の電子水槽装置。
【考案の詳細な説明】
【技術分野】
【０００１】
本考案は、水槽内に映像表示部を構成して、観賞魚や観賞用水生植物などの生物の映像を表示して、あたかもそれらの生物が水槽内で飼育されているかのように見せる電子水槽装置に関する。
【背景技術】
【０００２】
近年、室内インテリアとして観賞魚や観賞用水生植物などの生物を水槽内で鑑賞用に飼育することが行われている。しかし、実際にこれらの生物を飼育する場合には、水槽の清掃や水の交換等に手間がかかるため、インテリアとして室内に置いて維持管理し続けることには難しい問題や課題がある。
また、観賞魚や観賞用水生植物などの中には育てるのが非常に難しいものや高価なものもあり、それらを観賞して楽しむために、様々な水槽の管理装置が提案されている。
【０００３】
例えば、水、海水等の液体を貯留する水槽と、前記水槽中の液体に酸素を供給する酸素供給手段と、前記水槽中の液体の溶存酸素量を検出する酸素検出手段と、前記水槽中の液体の温度を検出する水温検出手段と、前記各々検出された溶存酸素量及び水温と予め設定された溶存酸素量及び当該溶存酸素量に対応する水温との各偏差量を演算する偏差演算手段と、前記演算された各偏差量を表示する偏差量表示手段と、前記演算された各偏差量に基づいて酸素供給手段の酸素供給量を調節する酸素調整手段と、前記水槽中の液体温度を調節する液体温度調整手段とを備えることを特徴とする水槽管理装置が提供されている（特許技術文献１を参照）。
【先行技術文献】
【特許文献】
【０００４】
【特許文献１】特開平７−１７０８８０号公報
【考案の概要】
【考案が解決しようとする課題】
【０００５】
しかしながら、このような水槽管理装置では構造が複雑であり、コストもかかり、手軽に観賞魚や観賞用水生植物などの生物を見て楽しむということが難しいという問題があった。
そこで、本考案の目的は、観賞魚や観賞用水生植物などの生物を容易にかつ安価に見て楽しむことができるようにするために、生物が映っている高解像度の映像データを表示する電子水槽装置を提供することにある。
【課題を解決するための手段】
【０００６】
上記の課題を解決するために、請求項１記載の考案は、電子水槽装置であって、生物の高解像度の映像データを記憶する映像記憶部と、前記映像記憶部に記憶されている映像データを再生する映像再生部と、前記映像再生部によって再生された高解像度の映像データを表示する高解像度ディスプレイである映像表示部と、前記映像記憶部、映像再生部、及び映像表示部を収納する少なくとも正面が透明な筐体部とを備えていることを特徴とする。
【０００７】
請求項２記載の考案は、前記筐体部の内部に前記映像再生部及び前記映像表示部を冷却するための冷却ファン部をさらに備え、前記筐体部の上面又は／及び背面には通風孔が設けられていることを特徴とする。
【０００８】
請求項３記載の考案は、前記映像記憶部における記憶媒体はＵＳＢメモリ、ディスク、ハードディスク、光磁気ディスク、光ディスク、ＣＤ−ＲＯＭ、ＣＤ−Ｒ、ＤＶＤ−ＲＯＭ、ＤＶＤ−Ｒ、磁気テープ、または不揮発性のメモリカードであることを特徴とする。
【考案の効果】
【０００９】
本考案によれば、高解像度の映像データを表示する高解像度ディスプレイである映像表示部に映し出される観賞魚や観賞用水生植物などの生物が、水槽の中に生存しているように見せることができる。そのため、育てるのが難しい生物の飼育、水槽の清掃、水の交換などに手間をかけることなく、生物を容易にかつ安価に見て楽しむことができるという効果が発生する。
【図面の簡単な説明】
【００１０】
【図１】本考案に係る電子水槽装置を側面から示した説明図である。
【考案を実施するための形態】
【００１１】
以下、図面を参照しながら、本願考案の実施の形態について説明する。
【実施例１】
【００１２】
図１は、本考案に係る電子水槽装置を示した説明図である。
図１に示すように、電子水槽装置は、生物の高解像度の映像データを記憶する映像記憶部３と、映像記憶部３に記憶されている映像データを再生する映像再生部４と、映像再生部４によって再生された高解像度の映像データを表示する長方形の映像表示画面を有する映像表示部５と、映像記憶部３、映像再生部４、及び映像表示部５を収納する少なくとも正面が透明な筐体部１とから構成されている。
【００１３】
映像記憶部３は、観賞魚や観賞用水生植物などの生物の高解像度の映像データを記憶する。
映像データは、映像記憶部３の内部に予め保存されているものでもよいし、ＵＳＢメモリやＤＶＤのような記憶媒体で映像再生部４に提供されるものであってもよい。
また、映像記憶部３における記憶媒体としては、ＵＳＢメモリ、ディスク、ハードディスク、光磁気ディスク、光ディスク、ＣＤ−ＲＯＭ、ＣＤ−Ｒ、ＤＶＤ−ＲＯＭ、ＤＶＤ−Ｒ、磁気テープ、または不揮発性のメモリカードなどが利用可能である。なお、インターネットのような通信手段により、映像データがダウンロードされてハードディスクなどの映像記憶部３に記憶され、該映像データが映像再生部４に供給されるような形式であってもかまわない。
この記憶媒体に記憶されている映像データを変えて、実際に撮影した様々な生物の映像を映像再生部４で再生し、楽しむことが可能である。
さらに、複製防止の観点から、映像記憶部３に記憶されている映像データには技術的保護手段としてコピーガードを施していても良い。
また、記憶媒体がＵＳＢメモリの場合に、ＵＳＢソケットが複数あると、利用者がＵＳＢメモリを差し込む場所について迷うことがある。そこで、ＵＳＢソケットが１箇所のみである機器を映像再生部４と接続ケーブルで繋いで、該ＵＳＢソケットに観賞魚や観賞用水生植物などの生物の高解像度の映像データが記憶されているＵＳＢメモリを差し込むように構成しても良い。
【００１４】
映像再生部４は、映像記憶部３に記憶されている映像データを再生する装置である。映像再生部４は、映像表示部５に対して電子信号として映像を送るもので、例えばビデオプレーヤ、ＤＶＤプレーヤ等の映像再生装置である。ただし、映像が送出可能であれば、どのような形態のものでもよく、コンピュータや、デジタル・プレーヤのような携帯端末であっても良い。
【００１５】
映像表示部５は、映像再生部４によって再生された高解像度の映像データを表示する長方形の映像表示画面を有するものである。
映像表示部５は、筐体部１の正面から表示された映像が視認可能な高解像度ディスプレイであれば、４Ｋ液晶ディスプレイ、８Ｋ液晶ディスプレイなど、どのような形態のものであってもかまわない。
【００１６】
筐体部１は、ほぼ直方体の形状であり、少なくとも正面にガラス等の透明板を有しており、この透明な正面から筐体部１内を見ることができるようになっている。また、筐体部１の両側面の内側及び上面の内側は筐体部１内部における不必要な光の反射を防ぐため黒塗りされていても、有色のシートが貼付されていても、また透明であっても良い。
筐体部１には、映像記憶部３、映像再生部４、及び映像表示部５が収納される。筐体部１の高さと幅は、映像表示部５の映像表示画面とほぼ同様の大きさを有する。そして、奥行きは、少なくとも映像記憶部３、映像再生部４、及び映像表示部５を収納するのに十分な大きさを有するものとする。
【００１７】
そして、映像表示部５は筐体部１内の正面の位置に収納され、筐体部１の正面の板と映像表示部５とは密接な位置でもよく、また、ある程度の間隔をおいても構わない。
筐体部１は、ほぼ直方体であり、縦横自在に設置できるものとする。設置場所のスペースが限られていて横に置けない場合やクラゲやタツノオトシゴのように縦方向の動きに特徴がある生物の映像の場合は、縦に置いて鑑賞することが可能である。
また、筐体部１の側面または上部には映像の効果音を発するためのスピーカが設けられていても良い。
【００１８】
映像表示部５と筐体部１の正面のガラス等の透明板の間には挿入板２が挿入されており、挿入板２は透明であるがその縁の部分のみをスモーク印刷するなどして不透明とし、映像表示部５のベゼルの部分が電子水槽装置の正面から見えないように構成されている。挿入板２の材料は、アクリルなど様々なものが利用可能である。
【００１９】
また、筐体部１の内部には、映像再生部４及び映像表示部５を冷却するための１または２以上の冷却ファン部６を備え、これにより、映像再生部４及び映像表示部５が熱くなることを防止する。
さらに、筐体部１の上面又は／及び背面には、筐体部１の内部の熱い空気を筐体部１の外部に逃すための通風孔７が設けられている。
【００２０】
本実施例による効果について、説明する。
本実施例によれば、高解像度の映像データを表示する高解像度ディスプレイである映像表示部５に映し出される観賞魚や観賞用水生植物などの生物が、水槽の中に生存しているように見せることができる。そのため、育てるのが難しい生物の飼育、水槽の清掃、水の交換などに手間をかけることなく、生物を容易にかつ安価に見て楽しむことができるという効果が発生する。
【符号の説明】
【００２１】
１  筐体部
２  挿入板
３  映像記憶部
４  映像再生部
５  映像表示部
６  冷却ファン部
７  通風孔
【図１】
0003194567.tif 000003